【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
標的の物理的特性を識別する方法であって、
広域スペクトルの入射光の放射源を備えるステップと、
前記入射光で前記標的を照射するステップと、
前記入射光を照射された前記標的の１つまたは複数の事前選択された領域から出射された後方散乱されたか、または透過した光のうちの１つの複数の事前選択されたスペクトルの強度を別々に記録するステップであって、前記事前選択された領域のうちの少なくとも１つは顕微鏡的大きさ以下であり、出射光の前記複数の事前選択されたスペクトルは前記標的内の屈折率変動の結果として生じる、ステップと、
出射光の前記複数のスペクトルの強度を分析することによって前記標的の前記１つまたは複数の領域の１つまたは複数の特性を評価するステップであって、前記特性は、前記標的の、それぞれ、粒子のサイズ、粒子の濃度、屈折率、前記屈折率の空間分布、粒子の前記濃度の空間分布、前記屈折率変動の標準偏差、前記屈折率変動の分散、屈折率変動の長さスケール、前記屈折率変動の不規則性の強さ、前記不規則性の強さの標準偏差、前記不規則性の強さの確率密度分布、反射率の確率密度分布、または前記反射率の自己相関関数のうちの１つまたは複数を含み、前記反射率は、前記出射光の高周波スペクトル成分の尺度である、ステップと、
出射光の前記複数のスペクトルについて、前記出射光の強度と前記入射光の強度によって正規化された前記出射光の強度のゆっくりと変化する成分との間の差を求めることで反射率を決定するステップとを含む方法。
【請求項２】
前記標的の前記１つまたは複数の事前選択された領域から出る前記光の少なくとも１つの部分に基づき画像を生成することをさらに含む請求項１に記載の方法。
【請求項３】
前記入射光のビーム直径は、前記入射光が前記標的のところの平面波に対応するように前記標的よりも実質的に大きい請求項１に記載の方法。
【請求項４】
標的の物理的特性を識別する方法であって、
広域スペクトルの入射光の放射源を備えるステップと、
前記入射光で前記標的を照射するステップと、
前記入射光を照射された前記標的の１つまたは複数の事前選択された領域から出射された後方散乱されたか、または透過した光のうちの１つの複数の事前選択されたスペクトルの強度を別々に記録するステップであって、前記事前選択された領域のうちの少なくとも１つは顕微鏡的大きさ以下であり、出射光の前記複数の事前選択されたスペクトルは前記標的内の屈折率変動の結果として生じる、ステップと、
出射光の前記複数のスペクトルの強度を分析することによって前記標的の前記１つまたは複数の領域の１つまたは複数の特性を評価するステップであって、前記特性は、前記標的の、それぞれ、粒子のサイズ、粒子の濃度、屈折率、前記屈折率の空間分布、粒子の前記濃度の空間分布、前記屈折率変動の標準偏差、前記屈折率変動の分散、屈折率変動の長さスケール、前記屈折率変動の不規則性の強さ、前記不規則性の強さの標準偏差、前記不規則性の強さの確率密度分布、反射率の確率密度分布、または前記反射率の自己相関関数のうちの１つまたは複数を含む、ステップと、
前記出射光の前記複数のスペクトルの前記反射率および前記反射率の自己相関関数から前記不規則性の強さを決定するステップと、
前記不規則性の強さの統計的パラメータを決定するステップであって、前記統計的パラメータは、所定の領域にわたって平均された不規則性の強さおよび前記不規則性の強さの標準偏差のうちの１つまたは複数を含む、ステップとを含む標的の物理的特性を識別する方法。
【請求項５】
前記不規則性の強さは、屈折率変動の分散と前記屈折率変動の空間相関長のうちの１つまたは複数の一尺度である請求項４に記載の方法。
【請求項６】
前記標的は、生体試料である請求項１に記載の方法。
【請求項７】
前記生体試料の１つまたは複数の特性を評価するステップは、単一細胞の細胞構造内の変化を検出することをさらに含む請求項６に記載の方法。
【請求項８】
前記標的は、非腫瘍性組織と異なる解剖学的部分内に配置された組織内の新生組織形成を検出するための前記非腫瘍性組織を含む請求項６に記載の方法。
【請求項９】
非腫瘍性組織から出る出射光の前記複数のスペクトルの強度を分析することで膵臓新生物を検出することをさらに含む請求項８に記載の方法。
【請求項１０】
前記非腫瘍性組織は、十二指腸膨大部周囲粘膜である請求項９に記載の方法。
【請求項１１】
非腫瘍性組織から出る出射光の前記複数のスペクトルの強度を分析することで肺癌を検出することをさらに含む請求項８に記載の方法。
【請求項１２】
前記非腫瘍性組織は、口腔粘膜である請求項１１に記載の方法。
【請求項１３】
前記所定の領域は、細胞の一領域に実質的に対応する請求項４に記載の方法。
【請求項１４】
前記統計的パラメータは、前記細胞の前記領域上の前記不規則性の強さの所定の百分位数に対する平均および標準偏差のうちの１つまたは複数を含む請求項４に記載の方法。
【請求項１５】
前記統計的パラメータは、複数の細胞にわたって平均された、前記平均不規則性の強さおよび前記不規則性の強さの前記標準偏差のうちの１つまたは複数を含む請求項４に記載の方法。
【請求項１６】
前記統計的パラメータは、複数の細胞にわたる、不規則性の強さの標準偏差、不規則性の強さの平均、および前記不規則性の強さの前記標準偏差のうちの１つまたは複数を含む請求項４に記載の方法。
【請求項１７】
前記複数の細胞は、細胞学的試料の少なくとも一部である請求項１６に記載の方法。
【請求項１８】
前記複数の細胞は、固定細胞、生体細胞、または染色された細胞のうちの１つまたは複数である請求項１６に記載の方法。
【請求項１９】
前記標的の事前選択領域の前記サイズは、ナノスケールのオーダーである請求項１に記載の方法。
【請求項２０】
前記標的の事前選択領域の前記サイズは、細胞の少なくとも一部の領域のサイズのオーダーである請求項１に記載の方法。
【請求項２１】
前記標的は、生体試料の１つまたは複数の生体細胞を含み、前記試料の厚さが前記試料中の平均自由光路より小さい請求項１に記載の方法。
【請求項２２】
前記スペクトル情報は、細胞毎に評価される請求項１に記載の方法。
【請求項２３】
前記入射光は、実質的に１次元方向で前記標的内を伝搬する請求項１に記載の方法。
【請求項２４】
前記標的の前記１つまたは複数の事前選択領域は、受けたスペクトルの最長波長のサイズ程度である請求項１に記載の方法。
【請求項２５】
前記屈折率変動の不規則性の強さの増大を識別することをさらに含む請求項１に記載の方法。
【請求項２６】
前記不規則性の強さの増大は、癌性生体細胞を示す請求項２５に記載の方法。
【請求項２７】
前記屈折率変動の不規則性の強さの標準偏差の増大を識別することをさらに含む請求項１に記載の方法。
【請求項２８】
前記標準偏差の増大は、癌性生体細胞を示す請求項２７に記載の方法。
【請求項２９】
細胞変化に関連する前記標的内の分光分析マーカーを識別することをさらに含む請求項１に記載の方法。
【請求項３０】
前記標的の組織構造をプローブで調べることをさらに含む請求項１に記載の方法。
【請求項３１】
前記標的の細胞内固形物の濃度の空間的変動を識別することをさらに含む請求項３０に記載の方法。
【請求項３２】
標的内の屈折率変動を決定するために標的を照射するためのシステムであって、前記標的上に広域スペクトルの入射光を供給するための光源と、  前記入射光を照射された前記標的の１つまたは複数の事前選択された領域から出る後方散乱されたか、または透過した光のうちの１つの複数の事前選択されたスペクトルの強度を別々に記録するための、前記システムのイメージング平面内に位置決めされた受け側端部とを備え,出射光の前記複数の事前選択されたスペクトルが前記標的内の屈折率変動の結果として生じる、システム。
【請求項３３】
前記標的に照射される光のビームの直径は、前記標的に照射される光の前記ビームが平面波に対応するように前記標的のサイズよりも実質的に大きい請求項３２に記載のシステム。
【請求項３４】
前記光源は、白色光源を含む請求項３２に記載のシステム。
【請求項３５】
前記光源は、複数の狭帯域光源から光の広域スペクトルを取り出す請求項３２に記載のシステム。
【請求項３６】
前記光源は、１つまたは複数の放射波長を有する１つまたは複数のレーザーを備える請求項３２に記載のシステム。
【請求項３７】
前記光源は、１つまたは複数のスペクトル放射範囲を有する１つまたは複数の発光ダイオードを備える請求項３２に記載のシステム。
【請求項３８】
前記光源と前記受け側端部との間に配置された波長選択可能光学フィルタをさらに備える請求項３２に記載のシステム。
【請求項３９】
前記受け側端部は、前記光源によって供給される入射光の前記広域スペクトル内の少なくとも２つの異なるスペクトルを受けることができるイメージング分光器を備える請求項３２に記載のシステム。
【請求項４０】
前記照明源は、人の目に見える前記可視スペクトルの実質的部分を供給し、前記受け側端部は、人の目に見える前記可視スペクトルの実質的部分を受光する請求項３９に記載のシステム。
【請求項４１】
イメージング分光器と結合された光検出器と、前記イメージ分光器および前記光検出器に結合された、所定の位置の周りを移動する動作が可能なように構成された走査ステージとをさらに備える請求項３２に記載のシステム。
【請求項４２】
前記光検出器は、ＣＣＤカメラである請求項４１に記載のシステム。
【請求項４３】
前記光検出器は、複数の光検出器である請求項４１に記載のシステム。
【請求項４４】
前記標的は、生体試料の１つまたは複数の生体細胞を含み、前記試料の厚さが前記試料中の平均自由光路より小さい請求項３２に記載のシステム。
【請求項４５】
前記受け側端部は、さらに、１つまたは複数の単一チャネル直線配列分光計を備える請求項３２に記載のシステム。
【請求項４６】
前記標的の前記１つまたは複数の事前選択領域は、顕微鏡的な大きさである請求項３２に記載のシステム。
【請求項４７】
前記入射光は、実質的に１次元方向で前記顕微鏡的標的内を伝搬するように構成される請求項４６に記載のシステム。
【請求項４８】
前記入射光を前記顕微鏡的標的上に集束させる動作が可能なように構成された１つまたは複数の光学コンポーネントをさらに備える請求項４６に記載のシステム。
【請求項４９】
前記受け側端部による記録のために前記顕微鏡的標的から出る前記光を増幅する動作が可能なように構成された１つまたは複数の光学コンポーネントをさらに備える請求項４６に記載のシステム。
【請求項５０】
前記標的の前記１つまたは複数の事前選択領域は、受けたスペクトルの最長波長のサイズ程度である請求項３２に記載のシステム。
【請求項５１】
前記受け側端部は、細胞毎にスペクトル情報を記録する請求項３２に記載のシステム。